(57)【要約】【課題】表示特性を向上させる。【解決手段】映像表示装置１０００はプリズム３００及びプリズムの一面に形成された画素部４００を備える。画素部は反射電極及び反射電極から所定の距離を隔てて位置する誘電体を備える。誘電体は電圧が印加されると反射電極と接触され、映像信号に対応して屈折率が変更される。ここで、反射電極は誘電体と接触された部分の屈折率が変更され、これにより反射電極は映像信号に対応して反射率が変更される。特に、画素部は反射電極を調節して表面プラズモン共鳴を調節することができ、表面プラズモン共鳴を用いてブラックモードを表示することができる。【選択図】図１
2007188067.tif 000002
【特許請求の範囲】
【請求項１】
光を出射する光出射部と、
前記光出射部から入射された光の経路を変更して当該光を出射するプリズムと、
前記プリズムの一面に位置し前記プリズムから入射された光を反射する反射電極、及び前記反射電極から所定の間隔を隔てて位置し、前記反射電極の光の反射率を調節するように外部から印加される電圧に対応して有効屈折率が変化する誘電体を備える画素部と、
前記誘電体と電気的に接続され、映像信号に対応して前記誘電体の有効屈折率を調節するように、前記誘電体に印加される電圧を調節する電源モジュールと、
を含むことを特徴とする映像表示装置。
【請求項２】
前記反射電極は複数の画素領域に区画され、
前記画素部は複数の誘電体を備え、
前記複数の誘電体は前記反射電極の反射率を画素領域ごとに調節するように、前記画素領域ごとに互いに絶縁されて備えられることを特徴とする請求項１に記載の映像表示装置。
【請求項３】
前記画素部は、前記反射電極上に備えられ前記複数の画素領域を定義し、前記誘電体と前記反射電極との間を所定の距離で離隔させる隔壁部を更に含むことを特徴とする請求項２に記載の映像表示装置。
【請求項４】
前記誘電体のエッジ領域は、前記隔壁部に位置することを特徴とする請求項３に記載の映像表示装置。
【請求項５】
前記誘電体は電圧が印加されると前記反射電極と接触され、電圧が遮断されると前記反射電極から離間されることを特徴とする請求項１に記載の映像表示装置。
【請求項６】
前記画素部は、前記誘電体の一面に備えられ、前記映像信号に対応する階調値に対応して前記プリズムから提供された光の反射率を調節するように、外部から印加される電圧に対応して前記誘電体の誘電率を調節する電圧調節部材を更に含むことを特徴とする請求項２に記載の映像表示装置。
【請求項７】
前記電圧調節部材は、印加された電圧に対応して屈折率が変化する電気光学部材であることを特徴とする請求項６に記載の映像表示装置。
【請求項８】
前記電源モジュールは、前記電圧調節部材と電気的に接続され前記電圧調節部材に印加される電圧を制御することを特徴とする請求項６に記載の映像表示装置。
【請求項９】
前記光出射部は、赤色光、緑色光、及び青色光を出射することを特徴とする請求項１に記載の映像表示装置。
【請求項１０】
前記赤色光、緑色光、及び青色光は、前記プリズムに入射される光の入射角が互いに異なることを特徴とする請求項９に記載の映像表示装置。
【請求項１１】
前記プリズムは、
前記光出射部と対向し、前記光出射部から出射された光が入射される入射面と、
前記反射電極上に位置し、前記入射面を介して入射された光を前記反射電極に提供し、前記反射電極から反射された光を提供される反射面と、
前記反射面から光を提供され出射する出射面と、
を含むことを特徴とする請求項１に記載の映像表示装置。
【請求項１２】
前記入射面と前記光出射部との間に介在され、前記光出射部から出射された光を偏光して前記入射面に提供する偏光部材を更に含むことを特徴とする請求項１１に記載の映像表示装置。
【請求項１３】
前記出射面と対向し、前記出射面から出射された光を組み合わせて出射する光学部材を更に含むことを特徴とする請求項１１に記載の映像表示装置。
【請求項１４】
前記反射電極は金属薄膜フィルムであることを特徴とする請求項１に記載の映像表示装置。
【請求項１５】
光を出射する光出射部と、
前記光出射部から入射された光の経路を変更して当該光を出射するプリズムと、
前記プリズムの一面にマトリックス状に備えられ、前記プリズムから入射された光を反射する反射アレー、及び前記反射アレーの一面に蒸着され前記反射アレーの光反射率を調節するように、外部から印加される電圧に対応して屈折率が変化する電気光学部材を備える画素部と、
前記電気光学部材と電気的に接続され、映像信号に対応して前記電気光学部材の屈折率を調節するように、前記電気光学部材に印加される電圧を調節する電源モジュールと、
を含むことを特徴とする映像表示装置。
【請求項１６】
前記反射アレーは互いに所定の間隔で離隔して位置する複数の反射電極を含み、前記電気光学部材は各反射電極に対応して備えられることを特徴とする請求項１５に記載の映像表示装置。
【請求項１７】
前記光出射部は、赤色光、緑色光、及び青色光を出射することを特徴とする請求項１６に記載の映像表示装置。
【請求項１８】
光を発生する光出射部と、
前記光出射部から入射された光をガイドする光導波路パネルと、
マトリックス状に形成された複数の画素領域に区画され、前記光導波路パネルから提供される光を用いて映像を表示する表示部と、
前記光導波路パネルの一面に備えられ、前記光導波路パネルから出射される光が前記複数の画素領域の各行に対応して調節されるように、前記光導波路パネル内部の光を各行に対応してスイッチングする光制御部と、
前記光導波路パネルから光を提供され、前記複数の画素領域の各列単位で前記表示部に走査するスキャン部と、
を含むことを特徴とする映像表示装置。
【請求項１９】
前記光制御部は、
前記光導波路パネルの一面に備えられ、前記光導波路パネル内部の光を反射する反射電極と、
前記反射電極から所定の間隔を隔てて位置し、前記複数の画素領域の行に対応して形成され、前記反射電極の光反射率を調節して該当行の各画素領域に提供される光を調節するように、外部から印加される電圧に対応して有効屈折率が変化する少なくとも一つの誘電体と、
を含むことを特徴とする請求項１８に記載の映像表示装置。
【請求項２０】
前記光制御部は、前記誘電体の一面に備えられ、前記誘電体に対応する画素の階調値に対応して前記電極部の反射率を調節するように、外部から印加される電圧に対応して前記誘電体の誘電率を調節する電気光学部材を更に含むことを特徴とする請求項１８に記載の映像表示装置。
【請求項２１】
前記光制御部は、前記複数の誘電体を備え、前記電極部は前記各誘電体に対応する領域ごとに反射率が調節されることを特徴とする請求項１８に記載の映像表示装置。
【請求項２２】
前記光制御部は、
前記光導波路パネルの一面に備えられ、前記光導波路パネル内部の光を反射する少なくとも一つの反射電極と、
前記反射電極の一面に蒸着され、前記反射電極と対応して位置し、前記反射電極の反射率を調節するように、外部から印加される電圧に対応して屈折率が変化する電気光学部材と、
を含むことを特徴とする請求項１８に記載の映像表示装置。
【請求項２３】
前記光制御部は複数の反射電極を備え、各反射電極は前記複数の画素領域の各行に対応して形成されたことを特徴とする請求項２２に記載の映像表示装置。
【請求項２４】
前記光導波路パネルの一面に備えられ、前記光出射部からの光を前記光導波路パネルに提供されるようにガイドする少なくとも一つの回折格子部を更に含むことを特徴とする請求項１８に記載の映像表示装置。
【請求項２５】
前記光出射部は、
赤色光を出射する第１光源と、
緑色光を出射する第２光源と、
青色光を出射する第３光源と、
を含むことを特徴とする請求項２４に記載の映像表示装置。
【請求項２６】
前記回折格子部は前記光出射部から出射される各光の色に対応して複数備えられ、前記複数の回折格子部は所定の間隔で離隔して位置することを特徴とする請求項２５に記載の映像表示装置。
【発明の詳細な説明】
【技術分野】
【０００１】
本発明は映像装置に関し、より詳細にはコントラスト比を向上させることのできる映像表示装置に関する。
【背景技術】
【０００２】
光学プロジェクターは、小型の映像を光学手段を用いて大画面で具現するための映像表示装置である。光学プロジェクターは映像を具現する素子の種類によってＣＲＴ（Ｃａｔｈｏｄｅ  Ｒａｙ  Ｔｕｂｅ）プロジェクション、ＬＣＤ（Ｌｉｑｕｉｄ  Ｃｒｙｓｔａｌ  Ｄｉｓｐｌａｙ）プロジェクション、及びＤＬＰ（ＤｉｇｉｔａｌＬｉｇｈｔ  Ｐｒｏｃｅｓｓｉｎｇ）プロジェクション方式に分けられる。そのうち、ＣＲＴプロジェクション方式は、小型の高画質ブラウン管をミラーに反射させスクリーン映像を投影させる方式であって最も古い方式である。
【０００３】
ＬＣＤプロジェクション方式は、外部の再生映像信号をプロジェクションＴＶへ送ると、プロジェクションＴＶの内部にある小型ＬＣＤ画面でそれを受けて映像を再生する。ＬＣＤ画面に再生された映像はＬＣＤ画面の背面からＬＣＤ画面に光が提供されると、レンズを介してＬＣＤ画面に再生された映像が拡大され、拡大された映像はミラーに反射されスクリーンに投影される。これにより、映像がスクリーンに表示されユーザが映像を見ることができる。
【０００４】
ＤＬＰプロジェクション方式は、数十万個の微細駆動ミラーが集積されたＤＭＤ（Ｄｉｇｉｔａｌ  Ｍｉｒｒｏｒ  Ｄｉｖｉｃｅ）チップを用いて映像を拡大投射する。つまり、ＤＬＰプロジェクションは反射タイプのＭＥＭＳ（Ｍｉｃｒｏ  Ｅｌｅｃｔｒｏ  Ｍｅｃｈａｎｉｃａｌ  Ｓｙｓｔｅｍｓ）素子から形成されたＤＭＤチップを備え、ＤＭＤチップの反射面には複数のマイクロミラーが配置される。複数のマイクロミラーはスクリーンのピクセル数と同数に形成され、各マイクロミラーは所定の間隔を隔てて配置されている。
【０００５】
マイクロミラーに光が入射されると各マイクロミラーの端部にて乱反射が発生したり、マイクロミラー同士の隙間によって回折現象が発生したりして画質が低下する。
【０００６】
また、このようなマイクロミラーは製造工程が複雑で、各マイクロミラーの角度を微細に調節しなければならないので、製造コストが上昇し、生産性が低下する。
【発明の開示】
【発明が解決しようとする課題】
【０００７】
本発明は前述の問題点を解決するために行われたもので、本発明の目的は、色のコントラスト比を向上させ、表示特性を向上させることのできる映像表示装置を提供することにある。
【課題を解決するための手段】
【０００８】
前述した本発明の目的を実現するための一つの特徴に係る映像表示装置は、光出射部、プリズム、画素部、及び電圧モジュールからなる。
【０００９】
光出射部は光を出射し、プリズムは前記光出射部から入射された光の経路を変更して出射する。画素部は前記プリズムの一面に位置し前記プリズムから入射された光を反射する反射電極、及び前記反射電極から所定の間隔を隔てて位置し、前記反射電極の光の反射率を調節するように、外部から印加される電圧に対応して有効屈折率が変化する誘電体を備える。電圧モジュールは、前記誘電体と電気的に接続され、映像信号に対応して前記誘電体の有効屈折率を調節するように、前記誘電体に印加される電圧を調節する。
【００１０】
好ましくは、前記反射電極は複数の画素領域に区画され、前記画素部は複数の誘電体を備える。ここで、前記複数の誘電体は前記反射電極の反射率を画素領域ごとに調節するように、前記画素領域ごとに互いに絶縁され備えられる。
【００１１】
また好ましくは、前記画素部は、前記反射電極上に備えられ前記複数の画素領域を定義し、前記誘電体と前記反射電極との間を所定の距離で離隔させる隔壁部を更に含むことができる。
【００１２】
ここで、前記誘電体のエッジ領域は、前記隔壁部に位置し、電圧が印加されると前記反射電極と接触され、電圧が遮断されると前記反射電極から離隔される。
【００１３】
より好ましくは、画素部は、前記誘電体の一面に備えられ、前記映像信号に対応する階調値に対応し前記プリズムから提供された光の反射率を調節するように、外部から印加される電圧に対応して前記誘電体の誘電率を調節する電圧調節部材を更に含むことができる。
【００１４】
ここで、前記電圧調節部材は印加された電圧に対応して屈折率が変化する電気光学部材からなり、前記電源モジュールは前記電圧調節部材と電気的に接続され前記電圧調節部材に印加される電圧を制御する。
【００１５】
一方、前記光出射部は、赤色光、緑色光、及び青色光を出射することが好ましい。より好ましくは、前記赤色光、緑色光、及び青色光は、前記プリズムに入射される光の入射角が互いに異なるように形成される。
【００１６】
好ましくは、前記プリズムは、前記光出射部と対向し、前記光出射部から出射された光が入射される入射面と、前記反射電極上に位置し、前記入射面を介して入射された光を前記反射電極に提供し、前記反射電極から反射された光を提供される反射面と、前記反射面から光を提供され出射する出射面と、を含む。
【００１７】
好ましくは、映像表示装置は、前記入射面と前記光出射部との間に介在され、前記光出射部から出射された光を偏光して前記入射面に提供する偏光部材を更に含むことができる。
【００１８】
より好ましくは、映像表示装置は、前記出射面と対向し、前記出射面から出射された光を組み合わせて出射する光学部材を更に含むことができる。
【００１９】
一方、前記反射電極は金属薄膜フィルムから形成されることができる。
【００２０】
また、前述した本発明の目的を実現するための一つの特徴に係る映像表示装置は、光を出射する光出射部、プリズム、画素部、及び電源モジュールからなる。
【００２１】
光出射部は赤色光、緑色光、及び青色光をそれぞれ出射する。プリズムは前記光出射部から入射された光の経路を変更して出射する。画素部は前記プリズムの一面にマトリックス状に備えられ、前記プリズムから入射された光を反射する反射アレー、及び前記反射アレーの一面に蒸着され前記反射アレーの光反射率を調節するように、外部から印加される電圧に対応して屈折率が変化する電気光学部材を備える。電源モジュールは前記電気光学部材と電気的に接続され、映像信号に対応して前記電気光学部材の屈折率を調節するように、前記電気光学部材に印加される電圧を調節する。
【００２２】
好ましくは、前記反射アレーは、互いに所定の間隔で離隔して位置する複数の反射電極を含み、前記電気光学部材は、各反射電極に対応して備えられる。
【００２３】
また、前述した本発明の目的を実現するための一つの特徴に係る映像表示装置は、光を発生する光出射部、光導波路パネル、表示部、光制御部、及びスキャン部からなる。
【００２４】
光導波路パネルは、前記光出射部から入射された光をガイドする。表示部は、マトリックス状に形成された複数の画素領域に区画され、前記光導波路パネルから提供される光を用いて映像を表示する。光制御部は、前記光導波路パネルの一面に備えられ、前記光導波路パネルから出射される光が前記複数の画素領域の各行に対応して調節されるように、前記光導波路パネル内部の光を前記各行に対応して調節する。スキャン部は、前記光導波路パネルから光を提供され、前記複数の画素領域の各列単位で前記表示部に走査する。
【００２５】
好ましくは、前記光制御部は、前記光導波路パネルの一面に備えられ、前記光導波路パネル内部の光を反射する反射電極、及び前記反射電極から所定の間隔を隔てて位置し、前記複数の画素領域の行に対応して形成され、前記反射電極の光反射率を調節して該当行の各画素領域に提供される光を調節するように、外部から印加される電圧に対応して有効屈折率が変化する少なくとも一つの誘電体からなることができる。
【００２６】
ここで、前記光制御部は、前記誘電体の一面に備えられ、前記誘電体に対応する画素の階調値に対応して前記電極部の反射率を調節するように、外部から印加される電圧に対応して前記誘電体の誘電率を調節する電気光学部材を更に含むこともできる。
【００２７】
また、前記光制御部は、前記複数の誘電体を備え、前記電極部は、前記各誘電体に対応する領域ごとに反射率が調節される。
【００２８】
一方、好ましくは、前記光制御部は、前記光導波路パネルの一面に備えられ、前記光導波路パネル内部の光を反射する少なくとも一つの反射電極、及び前記反射電極の一面に蒸着され、前記反射電極と対応して位置し、前記反射電極の反射率を調節するように、外部から印加される電圧に対応して屈折率が変化する電気光学部材からなることもできる。
【００２９】
ここで、前記光制御部は複数の反射電極を備え、各反射電極は前記複数の画素領域の各行に対応して形成される。
【００３０】
一方、好ましくは、映像表示装置は前記光導波路パネルの一面に備えられ、前記光出射部からの光を前記光導波路パネルに提供されるようにガイドする少なくとも一つの回折格子部を更に含むこともできる。
【００３１】
また、前記光出射部は、赤色光を出射する第１光源と、緑色光を出射する第２光源と、及び青色光を出射する第３光源と、を含む。ここで、前記回折格子部は前記光出射部から出射される各光の色に対応して複数備えられ、前記複数の回折格子部は所定の間隔で離隔して位置する。このような映像表示装置によると、ブラックモードで光を完全に遮断することができるので、コントラスト比を向上させることができ、それにより映像表示装置は表示特性を向上させることができる。
【発明の効果】
【００３２】
本発明によると、映像表示装置は映像信号に対応して反射電極の反射率を画素領域ごとに調節する。これにより、映像表示装置は反射電極の界面で発生する表面プラズモン共鳴及び反射電極の反射率を画素領域ごとに調節して映像を表示する。特に、映像表示装置は表面プラズモン共鳴を用いてブラックモードを具現することができ、これにより映像表示装置はブラックモードでの光漏れ現象を防止することができる。
【００３３】
従って、映像表示装置はコントラスト比を向上させることができるので、表示特性を向上させることができる。
【００３４】
また、映像表示装置は、ＤＭＤチップより製造工程が単純なので、生産性を向上させることができ、且つ製造コストを削減することができる。
【発明を実施するための最良の形態】
【００３５】
以下、添付の図面に基づいて本発明の好適な実施形態を詳説する。
【００３６】
図１は、本発明の一実施形態に係る映像表示装置を示す平面図である。
【００３７】
同図に示すように、本発明に係る映像表示装置１０００は、光出射部１００、偏光部２００、プリズム３００、画素部４００、電源モジュール５００、及び光学部材６００を含む。
【００３８】
具体的には、光出射部１００は外部から電圧が印加され光（Ｌ１）を発生する。光出射部１００は第１ないし第３光源１１０、１２０、１３０からなる。
【００３９】
本実施形態において、光出射部１００は３つの光源１１０、１２０、１３０を備えるが、光源の個数はプリズム３００の大きさに応じて増加又は減少させることができる。
【００４０】
各光源１１０、１２０、１３０は互いに異なる色の光を出射する。つまり、第１光源１１０は赤色光を出射し、第２光源１２０は緑色光を出射し、第３光源１３０は青色光を出射する。
【００４１】
ここで、第１ないし第３光源１１０、１２０、１３０は、各光源１１０、１２０、１３０が有する色に応じて交互に発光する。つまり、第１ないし第３光源１１０、１２０、１３０のうちいずれか一つのみオンされ、他の光源はオフされ、オンされた光源がオフされると同時に他の一つの光源がオンされる。各光源１１０、１２０、１３０のオン/オフは極めて短い時間に行われるので、ユーザは各光源１１０、１２０、１３０が交互に発光することを認識することができない。ここで、光出射部１００は各光源１１０、１２０、１３０を一定な順序、例えば第１光源１１０、第２光源１２０、及び第３光源１３０の順にオン/オフさせることができる。
【００４２】
一方、偏光部２００は光出射部１００から出射された光（Ｌ１）を偏光し、偏光された光（Ｌ２）はプリズム３００に入射される。一般的に、光はＳ波（ｓ−ｐｏｌａｒｉｚａｔｉｏｎ）及びＰ波（ｐ−ｐｏｌａｒｉｚａｔｉｏｎ）からなる偏光成分を有する。偏光部２００は光出射部１００から出射された光（Ｌ１）を偏光部２００の偏光軸に対して平行した成分のみ通過させプリズム３００に提供する。
【００４３】
図２は図１に示されたプリズム及び画素部を示す斜視図である。
【００４４】
図１及び図２に示すように、プリズム３００は三角柱の形状を有し、偏光部２００から出射された光（Ｌ２）をガイドする。
【００４５】
具体的には、プリズム３００は偏光部２００と対向する入射面３１０、入射面３１０から提供された光を反射する反射面３２０、及び反射面３２０から入射された光を外部に出射してレンズ６００に提供する出射面３３０を含む。ここで、入射面３１０、反射面３２０、及び出射面３３０はプリズム３００の三角柱の形状を定義し、入射面３１０及び出射面３３０はプリズムの山を形成する。
【００４６】
入射面３１０は偏光部から所定の間隔を隔てて位置し、偏光部２００によって偏光された光（Ｌ２）を提供される。
【００４７】
反射面３２０は入射面３１０に隣接して位置し、背面には画素部４００が備えられ入射面３１０から提供された光（Ｌ２）を反射する。つまり、反射面３２０は入射面３１０から提供された光を画素部４００に提供し、画素部４００によって調節された反射光（Ｌ３）を出射面３３０に提供する。
【００４８】
出射面３３０は入射面３１０及び反射面３２０に隣接して位置し、画素部４００によって調節された光（Ｌ３）を反射面３２０から提供され外部に出射する。つまり、出射面３３０は実質的にプリズム３００及び画素部４００によって調節された光（Ｌ４）を外部に出射してレンズ６００に提供する。
【００４９】
図３は図１に示された画素部を示す拡大断面図であり、図４は図１に示された画素部の背面を示す平面図である。
【００５０】
図２及び図３に示すように、画素部４００は反射面３２０の下に備えられ入射面３１０から提供された光（Ｌ２）の反射率を調節して出射する。
【００５１】
画素部４００は反射面３２０に蒸着された反射電極４１０、反射電極４１０から所定の間隔を隔てて備えられた複数の誘電体４２０、及び反射電極４１０と複数の誘電体４２０との間に介在された隔壁部４３０を備える。
【００５２】
具体的には、反射電極４１０は金属材質からなり、反射面３２０に薄膜フィルムの形に形成され入射面３１０（図１参照）を介して入射された光（Ｌ２）を反射する。反射電極４１０は複数の画素領域（ＭＰＡ）に区画され、複数の誘電体４２０によって画素領域ごとに反射率が調節される。これにより、反射電極４１０から出射される光（Ｌ３）は各画素領域に対応して反射率が異なるように出射される。
【００５３】
複数の誘電体４２０は反射電極４１０と互いに対向して位置し、前記複数の画素領域（ＭＰＡ）に対応して備えられる。
【００５４】
図３及び図４に示すように、複数の誘電体４２０はマトリックス状に形成され、画素領域ごとに絶縁され備えられる。複数の誘電体４２０は複数の画素領域（ＭＰＡ）に対応して反射電極４１０の屈折率を調節する。各誘電体のエッジ領域は隔壁部４３０に装着される。
【００５５】
隔壁部４３０は各画素領域を定義し、反射電極４１０及び複数の誘電体４２０を互いに所定の間隔で離隔させる。
【００５６】
一方、電源モジュール５００は反射電極４１０及び複数の誘電体４２０と電気的に接続される。電源モジュール５００は反射電極４１０及び複数の誘電体４２０に電圧を印加する。特に、電源モジュール５００は外部から提供される映像信号に対応して複数の誘電体４２０に印加される電圧をスイッチングする。つまり、電源モジュール５００は各誘電体と個別に接続され、複数の誘電体４２０に印加される電圧を各誘電体別にスイッチングする。これにより、電源モジュール５００は画素領域ごとに誘電体に印加される電圧を調節することができる。
【００５７】
本実施形態において、各誘電体４２０はその形状及び機能が実質的に同一であり、反射電極４１０及び電極モジュール５００との結合関係も実質的に同一である。従って、以下では第１誘電体４２１及び第２誘電体４２２を一例として反射電極４１０、複数の誘電体４２０、及び電源モジュール５００間の結合関係について詳説する。ここで、第１及び第２誘電体４２１、４２２は複数の誘電体４２０を構成する誘電体のうちいずれか一つである。
【００５８】
第１誘電体４２１は複数の画素領域（ＭＰＡ）のうち第１画素領域（ＰＡ１）に備えられ、第２誘電体４２２は第１画素領域（ＰＡ１）と互いに隣接した第２画素領域（ＰＡ２）に備えられる。ここで、第１及び第２誘電体４２１、４２２は互いに絶縁されて位置し、同様の大きさで形成される。
【００５９】
電源モジュール５００から反射電極４１０、第１誘電体４２１、及び第２誘電体４２２に電圧が印加されると、第１及び第２誘電体４２１、４２２は反射電極４１０と接触され、第１及び第２誘電体４２１、４２２は電圧に対応して屈折率が変化する。反射電極４１０は第１及び第２誘電体４２１、４２２と接触された領域、即ち第１及び第２画素領域（ＰＡ１、ＰＡ２）の屈折率が第１及び第２誘電体４２１、４２２の屈折率に対応してそれぞれ変化する。これにより、反射電極４１０は第１及び第２画素領域（ＰＡ１、ＰＡ２）の反射率が第１及び第２誘電体４２１、４２２と接触する以前と異なるように変化する。
【００６０】
このように、第１誘電体４２１は反射電極４１０の第１画素領域（ＰＡ１）に対応する屈折率を調節し、第２誘電体４２２は反射電極４１０の第２画素領域（ＰＡ２）に対応する屈折率を調節する。
【００６１】
ここで、各誘電体は各画素領域と対応し、電源モジュール５００は誘電体ごとに電圧を調節する。これにより、反射電極４１０は画素領域ごとに反射率が調節される。
【００６２】
例えば、第１誘電体４２１には電圧を印加せず、第２誘電体４２２には電圧を印加すると、図３に示すように、第１誘電体４２１は反射電極４１０から離間されて位置し、第２誘電体４２２は反射電極４１０と接触される。逆に、電源モジュールが第１誘電体４２１に電圧を印加し、第２誘電体４２２に印加される電圧を遮断すると、第１誘電体４２１は反射電極４１０と接触され、第２誘電体４２２は反射電極４１０から離間される。
【００６３】
ここで、各誘電体のエッジ領域が隔壁部４３０と結合されているため、各誘電体は反射電極４１０と接触される以前の状態に戻ることができる。
【００６４】
このように、反射電極４１０は第１画素領域（ＰＡ１）の反射率及び第２画素領域（ＰＡ２）の反射率が第１及び第２誘電体４２１、４２２によってそれぞれ個別的に調節される。
【００６５】
このように、画素部４００は複数の誘電体４２０を用いて反射電極４１０の反射率を画素領域ごとに調節し、これにより、反射電極４１０と複数の誘電体４２０との界面で発生する表面プラズモン共鳴（Ｓｕｒｆａｃｅ  Ｐｌａｓｍｏｎ  Ｒｅｓｏｎａｎｃｅ）を画素領域ごとに調節する。
【００６６】
ここで、表面プラズモン共鳴とは金属薄膜の表面で発生する電子の集団的な振動（Ｃｏｌｌｅｔｉｖｅ  ｃｈａｒｇｅ  ｄｅｎｓｉｔｙ  ｏｓｃｉｌｌａｔｉｏｎ）である。つまり、互いに隣接した金属薄膜及び誘電物質は金属薄膜及び誘電物質間の界面に沿って進む表面プラズモン波（Ｓｕｒｆａｃｅ  ｐｌａｓｍｏｎ  ｗａｖｅ）を発生させる。
【００６７】
表面プラズモン波は光の光子及び電子によって励起され、このような表面プラズモン波の励起を表面プラズモン共鳴という。ここで、表面プラズモン波は自由空間での電磁波とは異なり、入射面に対して平行に振動する波であってＰ波の成分を有する。
【００６８】
表面プラズモン共鳴が発生する入射角は、誘電物質の厚さ及び誘電物質の屈折率に応じてそれぞれ異なる。
【００６９】
以下、図５及び図６に基づいて、金属薄膜の厚さ及び誘電率に応じて表面プラズモン共鳴が発生する入射角の変化を具体的に説明する。
【００７０】
図５は金属薄膜の厚さに応じた入射光の反射率を示すグラフである。同図に示すように、互いに異なる厚さからなっている第１ないし第４金属薄膜Ｄ１、Ｄ２、Ｄ３、Ｄ４において表面プラズモン共鳴が発生する入射角、即ち、反射が全く発生せず反射率が約０％となる入射角が互いに異なることが分かる。
【００７１】
具体的には、第１ないし第４金属薄膜Ｄ１、Ｄ２、Ｄ３、Ｄ４は第１金属薄膜Ｄ１から第４金属薄膜Ｄ４の方に行くほどその厚さが増加する。その結果、金属薄膜の厚さが増加するほど表面プラズモン共鳴が発生する入射角も大きくなる。
【００７２】
図６は誘電物質の屈折率に応じた入射光の反射率を示すグラフである。同図に示すように、互いに異なる屈折率を有する第５ないし第７誘電物質Ｄ５、Ｄ６、Ｄ７において表面プラズモン共鳴が発生する入射角が互いに異なることが分かる。
【００７３】
つまり、第５ないし第７誘電物質Ｄ５、Ｄ６、Ｄ７の屈折率が第５誘電物質Ｄ５、第６誘電物質Ｄ６、及び第７誘電物質Ｄ７の順に増加する場合、表面プラズモン共鳴が発生する入射角も第５誘電物質Ｄ５、第６誘電物質Ｄ６、及び第７誘電物質Ｄ７の順に大きくなる。
【００７４】
前述のように、表面プラズモン共鳴は金属薄膜の厚さ又は誘電物質の屈折率、即ち誘電率に応じて発生する入射角が異なる。
【００７５】
また、図３及び図４に示すように、特定の入射角に対する表面プラズモン共鳴を映像信号に対応して誘導するためには反射電極４１０の厚さを映像信号に対応して画素領域ごとに変化するか各誘電体の屈折率を変化させなければならない。つまり、映像信号に対応して反射電極４１０の画素領域ごとに表面プラズモン共鳴を調節するためには、反射電極４１０の厚さを調節するか各誘電体の屈折率を調節しなければならない。
【００７６】
しかし、実質的に反射電極４１０の厚さを画素領域ごとに映像信号に対応して変更することは難しい。一方、誘電体の屈折率は電源モジュール５００から誘電体ごとに印加される電圧を用いて調節することができる。
【００７７】
本発明に係る電源モジュール５００は、映像信号に対応して画素領域ごとに各誘電体の屈折率を調節するように、複数の誘電体４２０に印加される電圧を画素領域ごとに調節する。
【００７８】
つまり、電源モジュール５００は映像信号に対応して反射電極４１０及び複数の誘電体４２０に電圧を印加し、複数の誘電体４２０は電源モジュール５００から印加された電圧に対応して画素領域ごとに反射電極４１０と接触又は離間される。
【００７９】
表面プラズモン共鳴が反射電極４１０と特定誘電体との界面で発生すると、偏光部２００から入射された光（Ｌ２）が反射電極４１０と誘電体との間の界面に沿って移動するため、該当誘電体が位置する画素領域で反射光（Ｌ３）が出射されない。
【００８０】
これにより、表面プラズモン共鳴が発生した画素領域はブラックモードになり、表面プラズモン共鳴が発生しなかった画素領域はホワイトモードになる。特に、表面プラズモン共鳴は光が全く反射されないため、画素部４００はブラックモードで発生する光漏れを防止することができる。これにより、映像表示装置１０００はコントラスト比を向上させることができるので、表示特性を向上させることができる。
【００８１】
ここで、光出射部１００（図１参照）は、画素部４００の表面プラズモン共鳴が反射電極４１０と誘電体とが接触すると発生するのか、それとも反射電極４１０と誘電体とが離間すると発生するのかに応じて、その入射角が調節される。
【００８２】
また、光は各光が有する固有の色に応じてその波長が異なるため、各光の色に応じて表面プラズモン共鳴が発生する入射角も異なる。従って、第１ないし第３光源１１０、１２０、１３０（図１参照）から出射される光（Ｌ１）の入射角は各光源に応じて互いに異なり、第１ないし第３光源１１０、１２０、１３０の位置も異なる。
【００８３】
前述のように、本発明に係る画素部４００は画素領域ごとに誘電体の屈折率を調節して表面プラズモン共鳴を調節し、映像表示装置１０００は表面プラズモン共鳴を用いてブラックモードを具現することができる。従って、映像表示装置１０００はブラックモードで光を完全に遮断してコントラスト比を向上させることができるので、表示特性を向上させることができる。
【００８４】
また、画素部４００はＤＭＤ（Ｄｉｇｉｔａｌ  Ｍｉｒｒｏｒ  Ｄｅｖｉｃｅ）チップに比べ製造工程が比較的に簡単であるため、生産性を向上させることができ、製造コストを削減することができる。
【００８５】
また、図１に示すように、光学部材６００はプリズム３００の出射面３３０と対向して位置する。光学部材６００はプリズム３００及び画素部４００によって調節された光（Ｌ４）を提供される。光学部材６００はプリズム３００の出射面３３０から出射された光（Ｌ４）を拡散して出射する。図示していないが、光学部材６００から出射された光（Ｌ５）はスクリーン（図示せず）に投影され、これにより、映像信号に対応する映像がスクリーンに表示される。
【００８６】
図７は図１に示された画素部の他の一例を示す断面図である。同図に示すように、画素部７００は電気光学部材７１０を除いては図３に示された画素部４００と同様の構造を有する。従って、図７の説明において、図３に示された画素部４００と同様の機能を行う構成要素に対しては参照番号を併記し、その具体的な説明を省略する。
【００８７】
画素部７００は、反射電極４１０、複数の誘電体４２０、隔壁部４３０、及び複数の誘電体４２０に対応して備えられた複数の電気光学部材７１０を備える。
【００８８】
複数の電気光学部材７１０は複数の誘電体４２０の下部面に蒸着され、画素領域ごとに絶縁され備えられる。複数の電気光学部材７１０は電圧に対応して屈折率が変化する電気光学（Ｅｌｅｃｔｒｏ−ｏｐｔｉｃ）効果を有する薄膜フィルムからなる。
【００８９】
各電気光学部材は電源モジュール５００と電気的に接続され、電源モジュール５００から印加される電圧に対応して屈折率が変更される。電気光学部材の屈折率が変わると、これに対応する誘電体の屈折率も変更され、これにより、反射電極４１０は該当誘電体に対応する画素領域において屈折率が変更される。これにより、反射電極４１０の画素領域ごとの反射率が電気光学部材ごとに印加された電圧に対応して調節される。
【００９０】
例えば、第１誘電体４２１に備えられた第１電気光学部材７１１は第１誘電体４２１の屈折率を調節し、第２誘電体４２２に備えられた第２電気光学部材７１２は第２誘電体４２２の屈折率を調節する。
【００９１】
複数の電気光学部材７１０は、電源モジュール５００から印加される電圧によって複数の誘電体４２０の屈折率、即ち誘電率をもっと微細に調節することができる。
【００９２】
例えば、電源モジュール５００から第２電気光学部材７１２に第２画素領域の階調値に対応する電圧が印加されると、第２誘電体４２２は反射電極４１０と接触される。第２電気光学部材７１２は電源モジュール５００から印加された電圧に対応して屈折率が調節され、それにより、第２誘電体４２２の屈折率は第２電気光学部材７１２の屈折率に対応して調節される。反射電極４１０の屈折率は第２誘電体４２２と対応する第２画素領域（ＰＡ２）において第２誘電体４２２の屈折率に対応して調節され、これにより、反射電極４１０の第２画素領域（ＰＡ２）に対応する反射率が第２画素領域（ＰＡ２）の階調値に対応して調節される。これにより、反射電極４１０は第２画素領域（ＰＡ２）において第２画素領域（ＰＡ２）の階調値に対応する光を反射することができる。
【００９３】
このように、各電気光学部材は反射電極７１０と誘電体とが互いに接触された状態で該当誘電体の屈折率を変化させ、反射電極７１０の画素領域ごとの反射率をもっと微細に調節することができる。従って、画素部７００は複数の電気光学部材７１０を用いて映像信号に対応する画素領域ごとの階調値をより正確に表現することができる。これにより、映像表示装置１０００は多様な階調を正確に表現することができるようになり、表示特性を向上させることができる。
【００９４】
図８は、本発明の他の実施形態に係る映像表示装置を示す平面図である。
【００９５】
同図に示すように、映像表示装置２０００は画素部８００を除いては図１に示された映像表示装置１０００と同様の構造を有する。従って、図８の説明において、図１に示された映像表示装置１０００と同様の機能を行う構成要素に対しては参照番号を併記し、その具体的な説明を省略する。
【００９６】
本発明に係る映像表示装置２０００は、光出射部１００、偏光部２００、プリズム３００、画素部８００、電源モジュール５００、及びレンズ６００を含む。
【００９７】
具体的には、光出射部１００は外部から電源を提供され光（Ｌ１）を発生する。光出射部１００は、赤色光を出射する第１光源１１０、緑色光を出射する第２光源１２０、及び青色光を出射する第３光源１３０を備える。ここで、赤色光、緑色光、及び青色光はプリズム３００に入射される入射角が互いに異なる。
【００９８】
偏光部２００は光出射部１００から出射された光（Ｌ１）を偏光し、偏光された光（Ｌ２）はプリズム３００に入射される。
【００９９】
プリズム３００は偏光部２００から出射された光（Ｌ２）を画素部８００に提供し、画素部８００によって調節された光（Ｌ３）を外部に出射する。
【０１００】
画素部８００はプリズム３００の反射面３２０に備えられる。
【０１０１】
図９は図８に示された画素部の背面を示す平面図である。
【０１０２】
図８及び図９に示すように、画素部８００はプリズム３００の入射面３１０を介して提供された光を反射する反射アレー８１０、及び反射アレー８１０の一面に備えられた電気光学部材８２０を備える。
【０１０３】
反射アレー８１０はプリズム３００の反射面に蒸着され、金属薄膜からなる。反射アレー８１０は所定の間隔で離隔して形成された複数の反射電極を備える。一つの反射電極は一つの画素領域（ＰＡ）を定義し、よって反射アレー８１０は複数の画素領域（ＭＰＡ）を定義する。
【０１０４】
電気光学部材８２０は複数の反射電極に対応して備えられ、画素領域ごとに絶縁され備えられる。電気光学部材８２０は電源モジュール５００と電気的に接続され、電源モジュール５００は映像信号に対応して電気光学部材８２０に印加する電圧を画素領域ごとに調節して印加する。
【０１０５】
電気光学部材８２０には電源モジュール５００から映像信号に対応して画素領域ごとに決定された電圧値の電圧が印加される。電気光学部材８２０は電圧に対応して画素領域ごとに屈折率が調節され、反射アレー８１０は電気光学部材８２０の屈折率に対応して反射率が調節される。つまり、反射アレー８１０は画素領域ごとの反射率が電気光学部材８２０の各画素領域に対応する屈折率に応じて調節される。
【０１０６】
このように、画素部８００は各反射電極の表面プラズモン共鳴及び各画素領域の階調値を電気光学部材８２０に印加される電圧を用いて調節することができる。これにより、映像表示装置２０００はフルカラーを具現することができ、また、表面プラズモン共鳴を用いてブラックモードを具現することができるので、ブラックモードで発生する光漏れを防止することができる。従って、映像表示装置２０００はコントラスト比を向上させることができ、表示特性を向上させることができる。
【０１０７】
また、映像表示装置２０００はＤＭＤチップに比べ製造工程が単純な画素部８００を用いて映像を表示することができるので、生産性を向上させることができ、かつ、製造コストを削減することができる。
【０１０８】
図１０は本発明の他の実施形態に係る映像表示装置を示す平面図であり、図１１は図１０線Ｉ−Ｉ’に沿って切断した断面図である。
【０１０９】
図１０に示すように、本発明に係る映像表示装置３０００は光出射部１００、電源モジュール５００、光導波路パネル３１００、回折格子部３２００、光制御部３３００、スキャン部３４００、及びスクリーン３５００を含む。
【０１１０】
具体的には、光出射部１００は外部から電源を提供され光（Ｌ７）を発生し、発生された光（Ｌ７）を光導波路パネル３１００に提供する。光出射部１００は第１ないし第３光源１１０、１２０、１３０からなり、各光源は互いに異なる色の光を出射する。ここで、第１光源１１０は赤色光を出射し、第２光源１２０は緑色光を出射し、第３光源１３０は青色光を出射する。
【０１１１】
光導波路パネル３１００は光出射部１００から回折格子部３２００を介して提供された光（Ｌ８）をガイドし、光制御部３３００によって調節された光（Ｌ９）を出射する。
【０１１２】
回折格子部３２００は光導波路パネル３１００に備えられ、光出射部１００から出射された光を偏光して光導波路パネル３１００の内部に提供する。回折格子部３２００は第１ないし第３回折部３２１０、３２２０、３２３０からなり、第１ないし第３回折部３２１０、３２２０、３２３０は互いに所定の間隔で離隔して位置する。第１回折部３２１０は第１光源１１０から出射された光を偏光する。第２回折部３２２０は第２光源１２０から出射された光を偏光する。第３回折部３２３０は第３光源１３０から出射された光を偏光する。
【０１１３】
光制御部３３００は光導波路パネル３１１０の上面に備えられ、電源モジュール５００と電気的に接続され光導波路パネル３１００の内部光を制御する。光制御部３３００はスクリーン３５００に形成された複数の画素領域のうち各行ごとに光を制御する。ここで、複数の画素領域はアレー状に形成され、一つの画素領域（ＰＡ）は映像を表示する基本単位である。
【０１１４】
図１１に示すように、光制御部３３００は光導波路パネル３１００の上面に形成された反射電極３３１０、反射電極３３１０と対向する複数の誘電体３３２０、及び反射電極３３１０と複数の誘電体３３２０との間に介在された隔壁部３３３０を備える。
【０１１５】
具体的には、反射電極３３１０は光導波路パネル３１００に金属薄膜状に形成され、光導波路パネル３１００内部の光（Ｌ８）をスイッチングする。
【０１１６】
複数の誘電体３３２０は反射電極３３１０と所定の距離で離隔して位置する。複数の誘電体３３２０は複数の画素領域の行に対応して備えられ、光制御部３３００は該当する行に備えられた各画素領域を列単位で制御する。つまり、光導波路パネル３１００から出射された光（Ｌ９）は複数の画素領域の一つの列に位置する画素領域に提供され、１次元映像に対応する光を出射する。
【０１１７】
各誘電体のエッジ領域は隔壁部３３３０に装着される。複数の誘電体３３２０は互いに絶縁されて備えられ、各行に対応して反射電極３３１０の屈折率を調節する。
【０１１８】
つまり、反射電極３３１０及び複数の誘電体３３２０は電源モジュール５００と電気的に接続され、電源モジュール５００から電圧を印加される。特に、電源モジュール５００は映像信号に対応して誘電体ごとに電圧を調節する。ここで、電源モジュール５００は外部から提供される映像信号に対応して複数の誘電体３３２０に印加される電圧をスイッチングする。つまり、電源モジュール５００は各誘電体と個別的に接続され、複数の誘電体３３２０に印加される電圧を誘電体ごとにスイッチングする。
【０１１９】
反射電極３３１０に電圧が印加された状態で誘電体に電圧が印加されると、該当誘電体と反射電極３３１０とは接触される。反射電極３３１０は誘電体と接触された領域の屈折率が変わるため、誘電体と接触された領域の反射率が以前と異なるようになり、それを用いて反射電極３３１０の表面プラズモン共鳴を調節することができる。
【０１２０】
例えば、光制御部３３００は反射電極３３１０と誘電体とが接触されると表面プラズモン共鳴が発生するように設計されることもでき、反射電極３３１０と誘電体とが離間されると表面プラズモン共鳴が発生するように設計することもできる。
【０１２１】
反射電極３３１０と特定誘電体との間で表面プラズモン共鳴が発生すると、光導波路パネル３１００内部の光（Ｌ８）は該当誘電体に対応する領域で遮断される。これにより、スクリーン３５００は表面プラズモン共鳴が発生した領域に対応する画素領域に光が提供されないので、該当画素領域はブラックモードになる。一方、表面プラズモン共鳴が発生していない領域に対応する画素領域には光が提供されるので、光が提供された画素領域はホワイトモードになる。
【０１２２】
このように、映像表示装置３０００は表面プラズモン共鳴を用いてブラックモードを具現することができるので、ブラックモードで発生する光漏れ現象を防止することができる。これにより、映像表示装置３０００はコントラスト比を向上させることができるので、表示特性を向上させることができる。
【０１２３】
一方、隔壁部３３３０は反射電極３３１０及び複数の誘電体３３２０を互いに所定の間隔で離隔させる。つまり、隔壁部３３３０は電源モジュール５００から印加された電圧によって反射電極３３１０と複数の誘電体３３２０とが接触され、その後に電圧が遮断されると複数の誘電体３３２０を元の状態に復帰させる。
【０１２４】
また、光制御部３３００は複数の誘電体３３２０の一面にコーティングされた複数の電気光学部材３３４０を更に含む。
【０１２５】
複数の電気光学部材３３４０は電源モジュール５００と電気的に接続され複数の誘電体３３２０の屈折率を調節する。つまり、複数の電気光学部材３３４０は複数の誘電体３３２０と対応して位置し、誘電体ごとに絶縁されて備えられる。ここで、電源モジュール５００は各誘電体に対応して各電気光学部材に印加する電圧を調節する。複数の電気光学部材３３４０は電源モジュール５００から印加された電圧に対応して各誘電体の屈折率を微細に調節する。
【０１２６】
つまり、電源モジュール５００は各画素領域の階調値に対応して複数の電気光学部材３３４０に印加される電圧を調節し、これにより、複数の電気光学部材３３４０は各画素領域の階調値に対応して各誘電体の屈折率を調節する。誘電体の屈折率が調節されると、反射電極３３１０の屈折率は各誘電体と対応する領域ごとに該当誘電体の屈折率に応じて変化する。反射電極３３１０は各画素領域の階調値に対応して反射率が調節されるので、光導波路パネル３１００内部の光を画素領域ごとに調節して出射する。
【０１２７】
これにより、光導波路パネル３１００は各画素領域の階調値に対応する光（Ｌ９）を出射することができ、これにより、映像表示装置３０００は映像の多様な階調を具現することができる。
【０１２８】
前述のように、光制御部３３００は複数の誘電体３３２０及び複数の電気光学部材３３４０を用いて反射電極３３１０の反射率を各画素領域に対応して調節する。これにより、映像表示装置３０００は製造工程が比較的に単純な光制御部３３００を用いて映像を表示することができるので、生産性を向上させることができ、かつ、製造コストを削減することができる。
【０１２９】
以下、図面に基づいて光制御部３３００によって調節された光（Ｌ９）がスクリーンに投影される過程について説明する。
【０１３０】
図１２は図１０に示された映像表示装置を示す斜視図である。図１２は光導波路パネル３１００、スキャン部３４００、及びスクリーン３５００間の光の入出力関係をより明確に示すために光出射部１００、電源モジュール５００、回折格子部３２００、及び光制御部３３００を省略して示している。
【０１３１】
図１０及び図１２に示すように、光導波路パネル３１００はスキャン部３４００と隣接した側面で制御部３３００によって調節された光（Ｌ９）を出射する。ここで、光導波路パネル３１００から同時に出射された光は１次元映像、即ち、複数の画素領域において一列に表示される映像を表示する。つまり、光導波路パネル３１００から出射された光（Ｌ９）は画素領域の列単位で提供され、出射された光（Ｌ９）は光制御部３３００によって該当列に対応する画素領域ごとに階調値が調節された光である。
【０１３２】
スキャン部３４００は光導波路パネル３１００の一側面から出射された光（Ｌ９）を集光した後に拡散して出射する。つまり、複数の画素領域の行が配列された方向に回転運動しつつ光（Ｌ１０）を出射し、光導波路パネル３１００から各列単位で出射される光を各列単位で走査する。
【０１３３】
例えば、光導波路パネル３１００から複数の画素領域の列のうち第１列（Ｒ１）に対応する光が出射されると、スキャン部３４００は光導波路パネル３１００から出射された光を第１列（Ｒ１）に走査する。ここで、光制御部３３００は第１列（Ｒ１）に位置する各画素領域に対応して光導波路パネル３１００の光を調節する。これにより、光導波路パネル３１００から第１列（Ｒ１）に提供される光は第１列（Ｒ１）に備えられた各画素領域に対応する階調値を有する。以後、光導波路パネル３１００は第１列（Ｒ１）の次に位置する第２列（Ｒ２）に対応する光を出射し、スキャン部３４００は回転運動し光導波路パネル３１００から出射された光を第２列（Ｒ２）に走査する。
【０１３４】
このように、光導波路パネル３１００は各列単位で光を出射し、スキャン部３４００は光導波路パネル３１００から光を提供され各列単位で走査する。これにより、映像表示装置３０００はスクリーンに映像信号に対応する映像を表示する。
【０１３５】
図１３は図１１に示された光制御部の他の一例を示す断面図である。
【０１３６】
同図に示すように、本発明に係る光制御部３６００は複数の反射電極３６１０及び複数の電気光学部材３６２０を備える。
【０１３７】
複数の反射電極３６１０は光導波路パネル３１００の上面に備えられ、金属の薄膜フィルム状に形成される。複数の反射電極３６１０は複数の画素領域に備えられた複数の行に対応して形成され、互いに所定の間隔で離隔されて位置する。本実施形態において、反射電極の個数は複数の画素領域の行の個数と同数に形成され、複数の反射電極３６１０は複数の画素領域の行が配置される方向に配置される。
【０１３８】
複数の電気光学部材３６２０は複数の反射電極３６１０に対応して形成され、複数の反射電極３６１０の上面に蒸着される。複数の電気光学部材３６２０は互いに絶縁されて位置し、対応する反射電極の屈折率を変化させる。つまり、複数の電気光学部材３６２０は電源モジュール５００と電気的に接続され、電源モジュール５００は映像信号に対応して電圧を複数の電気光学部材３６２０に印加する。ここで、電源モジュール５００は電気光学部材ごとに電圧を印加する。
【０１３９】
複数の電気光学部材３６２０は印加された電圧に対応して屈折率が変化し、これにより、複数の反射電極３６２０は複数の電気光学部材３６２０の屈折率に対応して屈折率が変化し反射率が調節される。ここで、電源モジュールは電器光学部材ごとに電圧を調節して印加するので、複数の反射電極３６１０は反射電極ごとに反射率が調節される。
【０１４０】
このように、複数の反射電極３６１０は複数の電気光学部材３６２０の屈折率によって反射率が調節されるため、光制御部３６００は各電器光学部材３６２０に印加される電圧を調節して反射電極の界面で発生する表面プラズマ共鳴を反射電極ごとに調節することができる。
【０１４１】
表面プラズモン共鳴が発生した反射電極は光を全く反射せず表面プラズモン波を励起するため、光導波路パネル３１００は該当反射電極と対応する領域において光が遮断される。これにより、表面プラズモン波が発生した反射電極に対応する画素領域はブラックモードになり、光が入射された画素領域はホワイトモードになる。
【０１４２】
このように、光制御部３６００は複数の電気光学部材３６２０を用いて複数の反射電極３６１０の屈折率を調節して表面プラズモン共鳴を誘導し、それを用いてブラックモードを具現する。これにより、光制御部３６００はブラックモードで光を完全に遮断することができるので、コントラスト比を向上させることができる。
【産業上の利用可能性】
【０１４３】
本発明は、映像表示装置に利用可能である。
【図面の簡単な説明】
【０１４４】
【図１】本発明の一実施形態に係る映像表示装置を示す平面図である。
【図２】図１に示されたプリズム及び画素部を示す斜視図である。
【図３】図１に示された画素部を示す拡大断面図である。
【図４】図１に示された画素部の背面を示す平面図である。
【図５】金属薄膜の厚さに応じた入射光の反射率を示すグラフである。
【図６】誘電体の屈折率に応じた入射光の反射率を示すグラフである。
【図７】図１に示された画素部の他の一例を示す断面図である。
【図８】本発明の他の実施形態に係る映像表示装置を示す平面図である。
【図９】図８に示された画素部の背面を示す平面図である。
【図１０】本発明の他の実施形態に係る映像表示装置を示す平面図である。
【図１１】図１０の線Ｉ−Ｉ’に沿って切断した断面図である。
【図１２】図１０に示された映像表示装置を示す斜視図である。
【図１３】図１１に示された光制御部の他の一例を示す断面図である。
【符号の説明】
【０１４５】
１０００、２０００、３０００    映像表示装置、
１００    光出射部、
２００    偏光部、
３００    プリズム、
４００、７００、８００    画素部、
５００    電源モジュール、
６００    光学部材、
３１００    光導波路パネル、
３２００    回折格子部、
３３００、３６００    光制御部、
３４００    スキャン部、
３５００  スクリーン。
【図１】
2007188067.tif 000003
【図２】
2007188067.tif 000004
【図３】
2007188067.tif 000005
【図４】
2007188067.tif 000006
【図５】
2007188067.tif 000007
【図６】
2007188067.tif 000008
【図７】
2007188067.tif 000009
【図８】
2007188067.tif 000010
【図９】
2007188067.tif 000011
【図１０】
2007188067.tif 000012
【図１１】
2007188067.tif 000013
【図１２】
2007188067.tif 000014
【図１３】
2007188067.tif 000015